(57)【要約】【課題】電気掃除機の電動送風機より流出する排気により、ゴミを吹き飛ばし舞い上げてしまうという問題点を無くし、低騒音でかつ排気による効率のよいコードリールの冷却が行える電気掃除機を提供する。【解決手段】電動送風機２と、電気掃除機本体１の側面に設けられ、前記電動送風機２からの排気１０を排出する排気用孔４とを備えた電気掃除機において、前記電気掃除機本体１の側面に回転自在に取り付けられ、かつ前記排気排気用孔４から排出された排気１０を更に外部へ排出するための複数の排気口７を有する車輪５と、前記排気口７より排出される排気１０を前記車輪１０の側面上部から排出させる風防体８とを備えたものである。【選択図】        図１
2004188104.tif 000002
【特許請求の範囲】
【請求項１】
電動送風機と、電気掃除機本体の側面に設けられ、前記電動送風機からの排気を排出する排気用孔とを備えた電気掃除機において、
前記電気掃除機本体の両側面に回転自在に取り付けられ、かつ前記排気用孔から排出された排気を更に外部へ排出するための複数の排気口を有する車輪と、
前記排気口より排出される排気を前記車輪の側面上部から排出させる風防体とを備えたことを特徴とする電気掃除機。
【請求項２】
前記車輪は、電気掃除機本体側の側面が開放され、且つ、前記側面に対向する外側部に前記排気口を形成したことを特徴とする請求項１記載の電気掃除機。
【請求項３】
前記風防体を、前記電気掃除機本体の側面に固定したことを特徴とする請求項１又は２記載の電気掃除機。
【請求項４】
前記風防体に、前記車輪の内側壁と当接する突起を設けたことを特徴とする請求項３記載の電気掃除機。
【請求項５】
前記風防体は、電気掃除機本体の側面と車輪の内側壁との間に設けられ、略半円状でかつ前記車輪の軸部に回転自在に取り付けられたことを特徴とする請求項１又は２記載の電気掃除機。
【請求項６】
前記風防体の外周部に、電気掃除機本体の側面と当接し、前記排気用孔から排出された排気を床面に流れないようにするリブを設けたことを特徴とする請求項５記載の電気掃除機。
【請求項７】
前記風防体の内壁に消音材を備えたことを特徴とする請求項１〜６のいずれかに記載の電気掃除機。
【請求項８】
前記排気口を、前記車輪の外周方向に傾斜して形成し、前記排気口から排出される排気を前記車輪の外周方向に排出させることを特徴とする請求項１〜７のいずれかに記載の電気掃除機。
【請求項９】
電気掃除機本体の側面の上部及び下部に排気用孔を複数有し、該下部の排気用孔の面積を該上部の排気用孔の面積より大きくしたことを特徴とする請求項１〜８のいずれかに記載の電気掃除機。
【発明の詳細な説明】
【０００１】
【発明の属する技術分野】
本発明は電気掃除機に係り、更に詳しくは電気掃除機の排気形態に関するものである。
【０００２】
【従来の技術】
従来の電気掃除機では、電動送風機から流れる排気を掃除機本体の後部の排気用孔及び掃除機本体の両側面の排気用孔から排出して低騒音化を図っているものが多い。この掃除機本体の側面の排気用孔は通常車輪の横に設けられるが、このとき掃除機本体の側面の排気用孔から排出された排気は車輪に当たり、下方向に流れるため、床面のゴミを吹き飛ばし舞い上げてしまうため使用性の悪いものとなっていた。このため、掃除機の側面の排気用孔から排出された排気が下方向に流れないように、掃除機本体の側面から車輪の内面に向けて略環状のリブ等を設けて、排気が上方向に流れるようにした電気掃除機が提案されている（例えば、特許文献１参照）。
【０００３】
【特許文献１】
特開２０００−３３０５６号公報（４頁、図１）
【０００４】
【発明が解決しようとする課題】
このように従来の電気掃除機では（例えば、特許文献１参照）、掃除機本体の側面からの排気が上方向となるものの、一度排気を車輪の内壁に当てて車輪と掃除機側面の隙間から排気を行っているので、排気効率が悪い。また、排気の風速が上がってしまうため騒音が大きくなるという問題点があった。
【０００５】
また、掃除機本体の側面の排気用孔が掃除機本体の後部上方に位置しているため、掃除機本体を立てて使用する場合に、排気が下方向（床方向）に流れてしまうため、床面のゴミを吹き飛ばし舞い上げてしまうといった問題点があった。
【０００６】
さらに、電動送風機より流出する排気によってコードリールを冷却する場合に、掃除機本体の側面の排気用孔が両側に１カ所づつしか設けられていないと、排気によるコードリール冷却にムラが生じて冷却効率が悪いという問題点があった。
【０００７】
本発明は、このような問題点を解決するためになされたものであり、電気掃除機がどのような使用状態にあっても電動送風機より流出する排気により床面のゴミを吹き飛ばし舞い上げるといった使用性の低下を防ぎ、かつ低騒音で、排気によるコードリールの冷却が効率よく行える電気掃除機を提供することを目的とする。
【０００８】
【課題を解決するための手段】
本発明に係る電気掃除機は、電動送風機と、電気掃除機本体の側面に設けられ、前記電動送風機からの排気を排出する排気用孔とを備えた電気掃除機において、前記電気掃除機本体の側面に回転自在に固定され、かつ前記排気用孔から排出された排気を更に外部に排出するための複数の排気口を有する車輪と、前記排気口より排出される排気を前記車輪の側面上部から排出させる風防体を備えたものである。
【０００９】
【発明の実施の形態】
実施形態１．
図１は本発明の実施形態１に係る電気掃除機の断面図であり、図２はこの掃除機の側面図、図３は図２の車輪部分の拡大図である。図４はこの掃除機の横断面図であり、図５は図２の車輪及び風防体を除いた図である。また、図６は本体から車輪を取り外したときの風防体の斜視図である。
図２及び図４に示すように、電気掃除機本体１は、ホース（図示せず）からゴミを吸引するための電動送風機２と電動送風機２から排出された排気の全部又は一部を掃除機本体１の側面から排出するための排気用孔４を備えており、掃除機本体１の両側面には軸部１３を有している。コードリール３に巻かれた電源コード１４は電流が流れることにより発熱するが、電源コード１４の全体を排気１０によって効率的に冷却するために、少なくとも掃除機本体１のコードリール３側の排気用孔４は、図５に示すようにコードリールの全周にわたるように複数設けられている。
図４に示すように、車輪５は軸部１３と回転自在に取り付けられており、掃除機本体に取り付けるための爪を備えた車輪軸６を有し、図３に示すように、排気口７が車輪５の外側側面の全面にわたって複数設けられている。なお、車輪５は図１に示すように、掃除機本体１の側が開放された形状となっている。車輪５の側部が開放された形状とは、図１のように側部全部が開放されているものの他に、側部の一部が開放されているものを含む。また、図１及び図６に示すように掃除機本体１の側面の下部には、略半円状の側面で上方が開口しており、外周部にわたって排気の流れを規制し、掃除機本体１に固定するための接続部１６からなる風防体８が車輪５の内側壁と近接するように設けられている。なお、この風防体８は掃除機本体１の側面に取り付けてもよく、電気掃除機本体１と一体に成形されたものでもよい。さらに図１及び図３に示すように、風防体８には車輪５の内側壁と当接する突起１２が設けられている。
【００１０】
本実施形態１では、電動送風機２から排出された排気１０がコードリール３に巻かれた電源コード１４の全体を通過して冷却を行い、排気用孔４を通り車輪の排気口７より排出される。これにより、排気による効率のよいコードリール３の冷却が可能となる。また、排気用孔４を通過した排気１０は風防体８に流れを規制されて車輪５の上部から排出されて床面に流れないため、床面のゴミを吹き飛ばし舞い上げてしまうという問題が無くなり電気掃除機の使用性が向上される。
【００１１】
さらに風防体８に設けた突起１２により、車輪が歪むのを抑制し車輪５の内壁と風防体８の隙間が確保されるため、摩擦が小さくなり車輪５はスムーズで安定した回転を行うことができる。
【００１２】
実施形態２．
図７は本発明の実施形態２に係る電気掃除機の断面図であり、図８から図１０は実施形態２に係る掃除機の使用状態別の側面図である。図７に示すように、風防体９を掃除機本体１とは別に設けてある。この風防体９は略半円状で、掃除機本体１の側面と車輪５の内壁との間に車輪５の内側壁に近接するようにして、車輪軸６に回転自在に取り付けられている。また、車輪５の内側壁には車輪５と同心円状に車輪リブ１５が設けられている。その他の構成は実施形態１の場合と同様である。
【００１３】
本実施形態２では、電動送風機２から排出され電源コード１４及び排気用孔４を通過した排気１０は、風防体９及び車輪リブ１５により流れを規制され、風防体９により遮蔽されていない排気口７から排出される。このとき、風防体９は自重によって常に車輪軸６の周りを回転して床面側に垂れた状態になるので、掃除機本体１が図８のように寝た状態のみならず、図９及び図１０のように掃除機本体１が立った状態であっても、排気１０は上方（床面から離れた方）から排出され床面に流れないため、床面のゴミを吹き飛ばし舞い上げることがなく、掃除機の使用性が向上する。
【００１４】
実施形態３．
図１１は本発明の実施形態３に係る電気掃除機の車輪５及びコードリール３の部分の断面図である。なお、本実施形態３の電気掃除機は、車輪リブ１５がなく風防体９にリブ９ａを設けたことを除いて図６の実施形態２と同様である。
リブ９ａは、風防体９の外周に、掃除機本体１の側面に向かって掃除機本体１の側面と当接するように設けられている。なお掃除機本体１の側面と当接しているとは、実際に接触しているものの他に、近接しているものを含む。
【００１５】
本実施形態３では、電動送風機２から排出され、電源コード１４及び排気用孔４を通過した排気１０が、リブ９ａを設けたことにより、床面側に流れなくなり、床面のゴミを吹き飛ばし舞い上げるということがなくなり、掃除機の使用性が向上する。さらに、リブ９ａ設けたことで車輪５の歪みが抑えられるため、車輪５の回転が安定し、車輪の外側からの衝撃に対する補強剤としての役割を果たす。
【００１６】
実施形態４．
図１２は本発明の実施形態４に係る電気掃除機の車輪５及びコードリール３の部分の断面図である。なお、本実施形態４の電気掃除機は、風防体９に消音材１１を設けたことを除いて、図１１の実施形態３と同様である。消音材１１は、例えば板状のものを用いる。なお、消音材１１は実施形態１のように風防体８が電気掃除機本体１に固定されている場合に設けてもよい。
【００１７】
本実施形態４では、電動送風機２から排出され電源コード１４及び排気用孔４を通過した排気１０は、一旦消音材１１に当たってから車輪５の排気口７より排出されるので、排気による騒音を低減することができる。また、風防体９の車輪軸６の周りの回転に関し、風防体９の自重に加え、消音材１１の重さも加わるので回転がスムーズになる。
【００１８】
実施形態５．
図１３は本発明の実施形態５に係る電気掃除機の車輪５及びコードリール３の部分の断面図である。なお、本実施形態５の電気掃除機は、車輪５に設けられた排気口７を車輪５の外周方向へ傾斜して形成し、排気口７から排出される排気１０を車輪５の外周方向に排出させていることを除いて、図１２の実施形態４と同様である。
【００１９】
本実施形態５では、電動送風機２から排出され、電源コード１４及び排気用孔４を通過した排気１０は、風防体９に遮蔽されていない排気口７より排出される。このとき排気口７は車輪５の外周方向に傾斜して形成されているため、排気１０は常に上向きに排出されるので、排気１０がより床面に流れにくくなり、床面のゴミを吹き飛ばし舞い上げるという問題点がなくなり、掃除機の使用性を向上させることができる。
【００２０】
実施形態６．
図１４は本発明の実施形態６に係る電気掃除機の車輪５及びコードリール３の部分の断面図である。なお、本実施形態６の電気掃除機は、掃除機本体１の側面に排気用孔４を上下に複数有しており、掃除機本体１の側面に設けた下部の排気用孔４ｂの面積を上部の排気用孔４ａの面積より大きくしたことを除いて、図１の実施形態１の場合と同様である。なお、図１４では排気用孔４ａ，４ｂが１つずつの場合を示したが、２以上の排気用孔４を設けてもよい。
【００２１】
本実施形態６では、電動送風機２から排出された排気１０がコードリール３に巻かれた電源コード１４を通過し排気用孔４から排出されるときに、排気用孔４ａと４ｂの面積が等しい場合には、排気用孔４ｂの側に風防体８があるため圧力損失が大きいが、下部の排気用孔４ｂの面積を上部の排気用孔４ａの面積より大きくすることにより、排気用孔４ｂに排気１０が流れやすくなり風速が低下して、排気による騒音を低減することができる。また、コードリール３に巻かれている電源コード１４全体を冷却させることで、冷却効率を向上させることができる。なお、実施形態２のように、風防体９が車輪軸６に回転自在に取り付けられている場合でも電気掃除機本体１は寝せた状態で使用されることが多いので、上記のような効果を奏することとなる。
【００２２】
【発明の効果】
以上のように本発明によれば、複数の排気口を有する車輪と、排気を車輪の側面上部から排出させる風防体を備えることにより、低騒音であり、電気掃除機本体から排出される排気により床面のゴミを吹き飛ばし舞い上げてしまう問題がなく、さらに、排気による効率的な電源コードの冷却を行える電気掃除機を提供することができる。
【図面の簡単な説明】
【図１】本発明の実施形態１に係る電気掃除機の断面図である。
【図２】本発明の実施形態１に係る電気掃除機の側面図である。
【図３】図２の車輪の部分の拡大図である。
【図４】本発明の実施形態１に係る電気掃除機の横断面図である。
【図５】図２の車輪および風防体を除いた側面図である。
【図６】本発明の実施形態１に係る電気掃除機の風防体の斜視図である。
【図７】本発明の実施形態２に係る電気掃除機の断面図である。
【図８】本発明の実施形態２に係る電気掃除機の側面図である。
【図９】本発明の実施形態２に係る電気掃除機の作用説明図である。
【図１０】本発明の実施形態２に係る電気掃除機の作用説明図である。
【図１１】本発明の実施形態３に係る電気掃除機の車輪及びコードリールの部分の断面図である。
【図１２】本発明の実施形態４に係る電気掃除機の車輪及びコードリールの部分の断面図である。
【図１３】本発明の実施形態５に係る電気掃除機の車輪及びコードリールの部分の断面図である。
【図１４】本発明の実施形態６に係る電気掃除機の車輪及びコードリールの部分の断面図である。
【符号の説明】
１  電気掃除機本体、２  電動送風機、３  コードリール、４  排気用孔、５車輪、６  車輪軸、７  排気口、８  風防体、９  風防体、９ａ  リブ、１０排気、１１  消音材、１２  突起、１３  軸部、１４  電源コード、１５  車輪リブ、１６  接続部。
【図１】
2004188104.tif 000003
【図２】
2004188104.tif 000004
【図３】
2004188104.tif 000005
【図４】
2004188104.tif 000006
【図５】
2004188104.tif 000007
【図６】
2004188104.tif 000008
【図７】
2004188104.tif 000009
【図８】
2004188104.tif 000010
【図９】
2004188104.tif 000011
【図１０】
2004188104.tif 000012
【図１１】
2004188104.tif 000013
【図１２】
2004188104.tif 000014
【図１３】
2004188104.tif 000015
【図１４】
2004188104.tif 000016